(57)【要約】【課題】発光体用の給電ラインの少なくとも一部を他の電気機器と共通化して配線数を少なくする。【解決手段】便座３は、暖房便座であり、内部の天井面に沿ってヒータ５が引き回されている。このヒータ５の熱を座面全体に伝達させるために、アルミ等の金属箔などよりなるシート状の伝熱体６が該天井面に貼り付けられている。通電制御回路１０に対し、リード線１７、第３のＬＥＤ８、リード線１８、伝熱体６、リード線１９が直列に接続されている。リード線１１，１３，１４，１６，１７，１９はヒンジ部３ａに挿通されている。ヒンジ部３ａに通すリード線の数が少ない。ＬＥＤ８に通電するためのリード線１８，１９の途中部分を伝熱体６で代替しているため、便座３内で配線されるリード線が少量で済む。【選択図】図１
2007021015.tif 000002
【特許請求の範囲】
【請求項１】
発光体と、発光体以外の電気機器とを有する電気設備において、該発光体への給電ラインの少なくとも一部を該電気機器又はその付属品と共通化したことを特徴とする電気設備。
【請求項２】
請求項１において、該電気設備は暖房便座であり、前記電気機器としてヒータを備えており、
該ヒータ、ヒータ用伝熱体、温度測定用熱電対、又は温度測定用温度センサの配線の少なくとも一部が前記給電ラインの少なくとも一部を構成していることを特徴とする電気設備。
【請求項３】
請求項１において、前記電気設備は小便器であり、前記電気機器として人体検知センサを備えており、
該人体検知センサの配線の少なくとも一部が前記給電ラインの少なくとも一部を構成していることを特徴とする電気設備。
【請求項４】
請求項１において、前記電気設備は吐水装置であり、前記電気機器として人体検知センサ又はスイッチを備えており、
該人体検知センサ又はスイッチの配線の少なくとも一部が前記給電ラインの少なくとも一部を構成していることを特徴とする電気設備。
【請求項５】
請求項１において、前記電気機器は照度センサであり、
該照度センサの配線の少なくとも一部が前記給電ラインを構成していることを特徴とする電気設備。
【請求項６】
請求項５において、前記照度センサが所定照度以下のときに前記発光体への通電を行う発光体制御手段を備えたことを特徴とする電気設備。
【請求項７】
発光体を備えた便座又は便蓋を有する電気設備において、
便座又は便蓋のヒンジ部分にリードスイッチを設け、該リードスイッチによって便座又は便蓋を倒伏させたことを検知し、これによって前記発光体に通電可能としたことを特徴とする電気設備。
【発明の詳細な説明】
【技術分野】
【０００１】
本発明は、発光体と、それ以外の電気機器とを有した電気設備に関するものであり、特に暖房便座、小便器あるいは吐水装置等に適用するのに好適な電気設備に関する。
【背景技術】
【０００２】
便座にヒータを組み込んだ暖房便座は周知である。また、便器の内面に光触媒を設け、便座に光触媒励起用のランプを設けることが特開平１１−２９９６８９号に記載されている。
【０００３】
小便器に人体検知センサを組み込んだ自動洗浄式小便器は周知である。特開平９−７８６６５号には、内面に光触媒を設けると共に、光触媒に光を照射するように光源を設けた小便器が記載されている。
【０００４】
吐水口に手を差し出すと自動的に吐水する自動水栓は周知である。また、スイッチ操作によって吐水、止水を行う水栓も周知である。実開平５−５４６７２号には、自動吐水機能及びスイッチ吐水機能を有した水栓が記載されている。
【特許文献１】特開平１１−２９９６８９号
【特許文献２】特開平９−７８６６５号
【特許文献３】実開平５−５４６７２号
【発明の開示】
【発明が解決しようとする課題】
【０００５】
本発明は、発光体用の給電ラインの少なくとも一部を他の電気機器又はその付属品と共通化して配線数を少なくすることを目的とする。
【課題を解決するための手段】
【０００６】
請求項１の電気設備は、発光体と、発光体以外の電気機器とを有する電気設備において、該発光体への給電ラインの少なくとも一部を該電気機器又はその付属品と共通化したことを特徴とするものである。
【０００７】
請求項２の電気設備は、請求項１において、該電気設備は暖房便座であり、前記電気機器としてヒータを備えており、該ヒータ、ヒータ用伝熱体、温度測定用熱電対、又は温度測定用温度センサの配線の少なくとも一部が前記給電ラインの少なくとも一部を構成していることを特徴とするものである。
【０００８】
請求項３の電気設備は、請求項１において、前記電気設備は小便器であり、前記電気機器として人体検知センサを備えており、該人体検知センサの配線の少なくとも一部が前記給電ラインの少なくとも一部を構成していることを特徴とするものである。
【０００９】
請求項４の電気設備は、請求項１において、前記電気設備は吐水装置であり、前記電気機器として人体検知センサ又はスイッチを備えており、該人体検知センサ又はスイッチの配線の少なくとも一部が前記給電ラインの少なくとも一部を構成していることを特徴とするものである。
【００１０】
請求項５の電気設備は、請求項１において、前記電気機器は照度センサであり、該照度センサの配線の少なくとも一部が前記給電ラインを構成していることを特徴とするものである。
【００１１】
請求項６の電気設備は、請求項５において、前記照度センサが所定照度以下のときに前記発光体への通電を行う発光体制御手段を備えたことを特徴とするものである。
【００１２】
請求項７の電気設備は、発光体を備えた便座又は便蓋を有する電気設備において、便座又は便蓋のヒンジ部分にリードスイッチを設け、該リードスイッチによって便座又は便蓋を倒伏させたことを検知し、これによって前記発光体に通電可能としたことを特徴とするものである。
【発明の効果】
【００１３】
本発明の電気設備にあっては、発光体用の給電ラインの少なくとも一部を他の電気機器又はその付属品（例えばリード線や、金属製伝熱体など）と共通化しているので、配線数が少なくて済む。
【００１４】
なお、暖房便座に設けられたヒータや温度センサに連なるリード線をヒンジに通すことが行われているが、ヒンジの内径は小さいので、暖房便座に本発明を適用した場合には、ヒンジに挿通する配線の数を減少させることが可能である。
【００１５】
請求項６の電気設備にあっては、窓のないトイレルームや洗面室などの場合、部屋の中に人がいないと、照明が消灯され暗くなっている。そこで、部屋の中に人が居らず、所定照度以下となっているときに発光体が点灯させるようにし、発光体が紫外線発光体であっても、人体に紫外線が照射されることを防止する。
【００１６】
請求項７の電気設備にあっては、便座又は便蓋を倒伏させたときだけ発光体が発光するので、発光体として紫外線発光体を設置した場合でも紫外線が人体に照射されることが防止される。
【発明を実施するための最良の形態】
【００１７】
以下、図面を参照して実施の形態について説明する。第１図（ａ）は実施の形態に係る電気設備を備えた洋風便器を示す斜視図、同（ｂ）は同（ａ）のＢ−Ｂ線断面図、同（ｃ）は便座の平面図である。第２図はＬＥＤへの通電ブロック図、第３図はヒンジ部の断面図である。
【００１８】
洋風便器１の後部上面に便座ボックス２が設置され、便座３及び便蓋４がヒンジ部３ａ，４ａを介して上下方向回動可能に取り付けられている。
【００１９】
この便座３は、暖房便座であり、内部の天井面に沿ってヒータ５が引き回されている。このヒータ５の熱を座面全体に伝達させるために、アルミ等の金属箔などよりなるシート状の伝熱体６が該天井面に貼り付けられている。便座３には、便座温度を検出するためのサーミスタ７が設けられている。
【００２０】
また、便座３内にはＬＥＤ８が設置され、便座３の底面には該ＬＥＤ８からの光を便鉢１ａ内に向って出射させるための透明部９が設けられている。このＬＥＤ８は紫外線を発光するＵＶＬＥＤであってもよく、可視光ＬＥＤであってもよい。可視光ＬＥＤの場合、便鉢１ａの内面に光触媒を設けておくのが好ましい。
【００２１】
第２図に示す通り、便座ボックス２内に設置された通電制御回路１０に対し、リード線１４、サーミスタ７、リード線１５、第１のＬＥＤ８、リード線１６が直列に接続されている。リード線１４，１６はヒンジ部３ａに挿通されている。
【００２２】
また、通電制御回路１０に対し、リード線１１、ヒータ５、リード線１２、第２のＬＥＤ８、リード線１３が接続されている。リード線１１，１３はヒンジ部３ａに挿通されている。
【００２３】
さらに、通電制御回路１０に対し、リード線１７、第３のＬＥＤ８、リード線１８、伝熱体６、リード線１９が直列に接続されている。リード線１７，１９はヒンジ部３ａに挿通されている。
【００２４】
なお、この実施の形態では、第３図の通り、便座のヒンジ部３ａの周方向の一部にマグネット２２が設けられ、便座ボックス２のヒンジ孔２ａの周方向の一部にリードスイッチ２１が設けられている。便座３を倒伏させると、マグネット２２がリードスイッチ２１に対峙し、このリードスイッチ２１からの信号によりＬＥＤ８に通電可能となるように構成されている。
【００２５】
このように構成された洋風便器１においては、ＬＥＤ８が点灯すると、便鉢１ａ内に光が照射される。この光がＵＶ（紫外線）であるときには、ＵＶによる防汚作用が奏される。光が可視光であるときには、便鉢１ａの内面に光触媒を保持しておくことにより、防汚作用が奏される。ＬＥＤ８がＵＶＬＥＤである場合であっても、便鉢１ａの内面に光触媒を設けておくことにより、優れた防汚効果が得られる。なお、リムの上面などその他の部位にも光触媒を設けておいてもよい。
【００２６】
この実施の形態では、サーミスタ７用のリード線１４，１６を用いて第１のＬＥＤ８に通電するようにしており、第１のＬＥＤ８専用のリード線として、短いリード線１５を用いるだけで足りる。
【００２７】
また、ヒータ５用のリード線１１，１３を用いて第２のＬＥＤ８に通電するようにしており、第２のＬＥＤ８専用のリード線として短いリード線１２を用いるだけで足りる。
【００２８】
このリード線１５，１２は便座３内にのみ配置されるものであるため、ヒンジ部３ａに挿通するリード線の数が少なくて済む。
【００２９】
この実施の形態では、第３のＬＥＤ８に通電するためのリード線１８，１９の途中部分を伝熱体６で代替している。そのため、便座３内で配線されるリード線が短くて済む。
【００３０】
この実施の形態では、便座３を起立させたときには、リードスイッチ２１の作用によりＬＥＤ８には通電されないので、節電を図ることができる。また、ＬＥＤ８がＵＶＬＥＤの場合、使用者にＵＶが直射することが防止される。
【００３１】
第４図（ａ）は実施の形態に係る電気設備を備えた小便器の斜視図、同（ｂ）は同（ａ）のＢ−Ｂ線断面図である。
【００３２】
この小便器３０は自動洗浄式小便器であり、小便器３０の上部前面に人体検知センサ３２を有したセンサニット３１が設置されている。このセンサユニット３１は、前面が開放したケーシング３３と、該ケーシング３３の前面に配置された赤外線（ＩＲ）透過材料よりなる窓プレート３４と、ＩＲの投光素子及び受光素子よりなる上記人体検知センサ３２とを有する。
【００３３】
また、このケーシング３３の後部の底面に透明部３６が設けられ、この透明部３６から小便器３０のボール部に向ってＵＶを出射させるようにＵＶＬＥＤ３５が設けられている。なお、ボール部には光触媒を設けておくのが好ましい。光触媒を設けた場合、ＵＶＬＥＤではなく可視光ＬＥＤを設置してもよい。
【００３４】
この人体検知センサ３２はリード線を介して給水制御回路（図示略）に接続されているが、このリード線の一部はＬＥＤ３５への通電用リード線を兼ねるよう構成されている。これにより、リード線の数が少なくて足りるものとなっている。
【００３５】
第５図（ａ）は実施の形態に係る電気設備としての吐水装置（自動水栓）の側面図、同（ｂ）は同（ａ）の自動水栓の先端部の縦断面図である。
【００３６】
この自動水栓４０は、洗面ボール４４の奥側のカウンター４３の上面に設置されている。この自動水栓４０内に吐水管４１が引き回され、その先端が吐水口４２となっている。
【００３７】
この吐水口４２の近傍に赤外線透過材料よりなる窓プレート４５が設けられ、その内部側に人体検知センサ４６が設けられている。自動水栓４０の下面部には、透明部４７が設けられ、その内部側にＵＶＬＥＤ４８が設けられている。
【００３８】
自動水栓４０の上面に透明部５０が設けられ、その内部側に照度センサ５１が設けられている。
【００３９】
人体検知センサ４６と照度センサ５１とは、それぞれリード線を介して制御回路（図示略）に接続されている。この制御回路はカウンター４３内に設置されている。リード線は自動水栓４０内を引き通されている。
【００４０】
ＬＥＤ４８への通電用のリード線の少なくとも一部は、この人体検知センサ４６又は照度センサ５１のリード線と兼用されている。これによりリード線の数が少なくて足りるものとなっている。なお、人体検知センサ４６と照度センサ５１へのリード線の少なくとも一部を兼用させるようにしてもよい。
【００４１】
この実施の形態では、照度センサ５１が検出する照度が所定以下になっており、且つ人体検知センサ４６が人体非検知のときだけＬＥＤ４８に通電するよう構成するのが好ましい。これにより、洗面室に人が居らず洗面室が暗くなっているときだけＬＥＤ４８が点灯し、人体にＵＶが当たることが防止される。
【００４２】
上記実施の形態は本発明の一例であり、本発明の電気設備は上記以外の機器にも適用することができる。なお、第１図〜第３図の実施の形態では便座温度をサーミスタで検知し、サーミスタ用リード線をＬＥＤ用リード線と兼用化しているが、サーミスタの代わりに熱電対を用いてもよく、この場合熱電対の少なくとも一部をＬＥＤ用リード線と兼用してもよい。
【００４３】
第３図のリードスイッチ機構は、便座に発光体を設けた場合にも適用可能である。これにより、便蓋を倒したときだけ該便蓋の発光体が点灯する。
【図面の簡単な説明】
【００４４】
【図１】第１図（ａ）は実施の形態に係る電気設備を備えた洋風便器を示す斜視図、同（ｂ）は同（ａ）のＢ−Ｂ線断面図、同（ｃ）は便座の平面図である。
【図２】ＬＥＤへの通電ブロック図である。
【図３】ヒンジ部の断面図である。
【図４】第４図（ａ）は実施の形態に係る電気設備を備えた小便器の斜視図、同（ｂ）は同（ａ）のＢ−Ｂ線断面図である。
【図５】第５図（ａ）は実施の形態に係る電気設備を備えた吐水装置としての自動水栓の側面図、同（ｂ）は同（ａ）の自動水栓の先端部の縦断面図である。
【符号の説明】
【００４５】
３  便座
５  ヒータ
６  伝熱体
８，３５，４８  ＬＥＤ
３２，４６  人体検知センサ
【図１】
2007021015.tif 000003
【図２】
2007021015.tif 000004
【図３】
2007021015.tif 000005
【図４】
2007021015.tif 000006
【図５】
2007021015.tif 000007